(57)【特許請求の範囲】
【請求項１】
第１の色域に含まれる３色以上の副画素を有する第１画素と、
前記第１画素の副画素より輝度が高く第１の色域内の第２の色域に属する３色以上の副画素を有する第２画素と、
前記第１画素及び前記第２画素がマトリクス状に表示領域内に設けられ、前記第１画素と前記第２画素とが隣接する画像表示部と、
を備え、
前記第１画素は、第１副画素と、第２副画素と、第３副画素とを含み、
前記第２画素は、前記第１副画素よりも輝度が高い第４副画素と、前記第２副画素よりも輝度が高い第５副画素と、前記第３副画素よりも輝度が高い第６副画素とを含み、
さらに、前記第１副画素に対応して配置される第１カラーフィルタと、前記第２副画素に対応して配置される第２カラーフィルタと、前記第３副画素に対応して配置される第３カラーフィルタと、前記第４副画素に対応して配置される第４カラーフィルタと、前記第５副画素に対応して配置される第５カラーフィルタと、前記第６副画素に対応して配置される第６カラーフィルタとを有し、
前記第４カラーフィルタの透過率は、前記第１カラーフィルタの透過率より高く、前記第５カラーフィルタの透過率は、前記第２カラーフィルタの透過率より高く、前記第６カラーフィルタの透過率は、前記第３カラーフィルタの透過率より高い、画像表示装置。
【請求項２】
前記第１画素及び前記第２画素は白色の副画素を有する、
請求項１に記載の画像表示装置。
【請求項３】
前記第１画素における前記白色の副画素の配置と前記第２画素における前記白色の副画素の配置とは同一の配置である、
請求項２に記載の画像表示装置。
【請求項４】
前記第１画素が有する副画素の色のうち３色は、赤、緑、青に対応し、前記表示領域は直線状の辺を有し、少なくとも一辺に隣接する画素は前記第１画素である、
請求項１に記載の画像表示装置。
【請求項５】
前記第２画素は、千鳥状に配置されている、請求項４に記載の画像表示装置。
【請求項６】
第１の色域に含まれる３色以上の副画素を有する第１画素と、
前記第１画素の副画素より輝度が高く、前記第１の色域内の第２の色域に含まれる３色以上の副画素を有する第２画素と、
前記第１画素及び前記第２画素がマトリクス状に設けられ、前記第１画素と前記第２画素とが隣接する画像表示部と、
入力画像信号に応じて前記画像表示部の各画素が有する副画素の出力を決定する信号処理部と、
を備え、
前記第１画素は、第１副画素と、第２副画素と、第３副画素とを含み、
前記第２画素は、前記第１副画素よりも輝度が高い第４副画素と、前記第２副画素よりも輝度が高い第５副画素と、前記第３副画素よりも輝度が高い第６副画素とを含み、
さらに、前記第１副画素に対応して配置される第１カラーフィルタと、前記第２副画素に対応して配置される第２カラーフィルタと、前記第３副画素に対応して配置される第３カラーフィルタと、前記第４副画素に対応して配置される第４カラーフィルタと、前記第５副画素に対応して配置される第５カラーフィルタと、前記第６副画素に対応して配置される第６カラーフィルタとを有し、
前記第４カラーフィルタの透過率は、前記第１カラーフィルタの透過率より高く、前記第５カラーフィルタの透過率は、前記第２カラーフィルタの透過率より高く、前記第６カラーフィルタの透過率は、前記第３カラーフィルタの透過率より高い、画像表示装置。
【請求項７】
前記信号処理部は、
前記第２画素に対応する入力画像信号の成分である第２成分が前記第２の色域の色域内成分である場合には、前記第１画素に対応する前記入力画像信号の成分である第１成分に基づいて前記第１画素が有する副画素の出力を決定すると共に、
前記第２画素に対応する入力画像信号の成分である第２成分に基づいて前記第２画素が有する副画素の出力を決定する、
請求項６に記載の画像表示装置。
【請求項８】
前記信号処理部は、
隣接する前記第１画素及び前記第２画素間において、当該第１画素の前記入力画像信号の成分である第１成分と、当該第２画素に対応する入力画像信号の成分である第２成分とを色変換し、当該第１画素が有する副画素の出力と、当該第２画素が有する副画素の出力とを決定する、
請求項６又は請求項７に記載の画像表示装置。
【請求項９】
前記信号処理部は、
前記第２画素に対応する入力画像信号の成分である第２成分が前記第２の色域の色域外成分を含む場合には、前記第１画素に対応する前記入力画像信号の成分である第１成分及び前記第２画素に対応する入力画像信号の成分である第２成分を、隣接する前記第１画素及び前記第２画素間で色変換し、色変換した第２成分に基づいて前記第２画素が有する副画素の出力を決定する、請求項６又は請求項７に記載の画像表示装置。
【請求項１０】
前記第１画素及び前記第２画素は、白色の副画素を有し、
前記信号処理部は、
入力画像信号の成分のうち白色に変換可能な成分がある場合は、前記白色の副画素を点灯させるように、前記第１画素及び前記第２画素の出力を決定する、
請求項６から請求項９のいずれか１項に記載の画像表示装置。
【請求項１１】
前記第１画素における前記白色の副画素の配置と、前記第２画素における前記白色の副画素の配置とは同一の配置である、
請求項１０に記載の画像表示装置。
【請求項１２】
前記信号処理部は、
隣接する前記第１画素及び前記第２画素の２画素に対応する入力画像信号に基づいた当該第１画素の副画素の出力及び当該第１画素に隣接する前記第２画素の副画素の出力の組み合わせが複数ある場合、前記第１画素の輝度分布と前記第２画素の輝度分布とが近似する前記第１画素の副画素の出力及び前記第２画素の副画素の出力を行う、
請求項６から請求項８のいずれか１項に記載の画像表示装置。
【請求項１３】
前記第１画素が有する副画素の数と前記第２画素が有する副画素の数とが同一であり、
前記第１画素における副画素の配置と前記第２画素における副画素の配置とは、第１画素が有する副画素の色相と第２画素が有する副画素の色相とを対比した場合に、各画素における色相の回転方向が同一の配置である、
請求項６から請求項８のいずれか１項に記載の画像表示装置。
【請求項１４】
前記第１副画素と前記第４副画素とは同色であり、前記第２副画素と前記第５副画素とは同色であり、前記第３副画素と前記第６副画素とは同色である、請求項１から請求項１３のいずれか１項に記載の画像表示装置。
【発明の詳細な説明】
【技術分野】
【０００１】
本発明は、画像表示装置に関する。
【背景技術】
【０００２】
従来、有機発光ダイオード（ＯＬＥＤ）などの自発光体を点灯する画像表示パネルを備えた表示装置が提案されている（例えば、特許文献１参照）。この表示装置は、画素Ｒ（赤）、画素Ｇ（緑）及び画素Ｂ（青）の３原色の副画素に加え、画素Ｗ（白）の追加原色を追加した自発光体を点灯する画像表示パネルを備える。この表示装置においては、画像表示パネルに彩度が低い入力画像を表示する場合には、追加原色Ｗを含む４色のカラー出力信号に入力信号を置き換えることが可能であり、表示装置の消費電力量を削減することが可能となる。
【先行技術文献】
【特許文献】
【０００３】
【特許文献１】特表２００７−５１４１８４号公報
【発明の概要】
【発明が解決しようとする課題】
【０００４】
ところで、従来の自発光体を備えた画像表示パネルでは、Ｒ（赤）、Ｇ（緑）及びＢ（青）の３原色の副画素に加えて、Ｗ（白）、Ｃ（シアン）、Ｍ（マゼンタ）、Ｙ（黄）などの副画素を用いて多原色化することにより、消費電力の更なる低減が可能となる。しかしながら、画像表示パネルを多原色化すると画像表示パネルの画素数が増大するので、画素の配置の高密度化が必要となると共に、入力信号から最適解を求めるデータ変換アルゴリズムも複雑化する場合がある。
【０００５】
本開示は、画素数を増大させることなく、消費電力量を抑制できる画像表示装置を提供することを目的とする。
【課題を解決するための手段】
【０００６】
本開示の画像表示装置は、第１の色域に含まれる３色以上の副画素を有する第１画素と、前記第１画素の副画素より輝度が高く第１の色域内の第２の色域に属する３色以上の副画素を有する第２画素と、記第１画素及び前記第２画素がマトリクス状に表示領域内に設けられ、前記第１画素と前記第２画素とが隣接する画像表示部と、を備える。
【０００７】
本開示の画像表示装置は、第１の色域に含まれる３色以上の副画素を有する第１画素と、前記第１画素の副画素より輝度が高く、前記第１の色域内の第２の色域に含まれる３色以上の副画素を有する第２画素と、前記第１画素及び前記第２画素がマトリクス状に設けられ、前記第１画素と前記第２画素とが隣接する画像表示部と、入力画像信号に応じて前記画像表示部の各画素が有する副画素の出力を決定する信号処理部と、を備える。
【図面の簡単な説明】
【０００８】
【図１】図１は、本実施の形態に係る画像表示装置の構成の一例を示すブロック図である。
【図２】図２は、本実施の形態に係る画像表示部の画素が含む副画素の点灯駆動回路を示す図である。
【図３】図３は、本実施の形態に係る第１画素の副画素の配列を示す図である。
【図４】図４は、本実施の形態に係る第２画素の副画素の配列を示す図である。
【図５】図５は、本実施の形態に係る画像表示部の断面構造を示す図である。
【図６】図６は、カラーフィルタの透過率曲線を示す図である。
【図７】図７は、第１画素が有する副画素で再現可能な色空間と第２画素が有する副画素で再現可能な色空間の一例を示す図である。
【図８】図８は、第１画素と第２画素との位置関係並びに第１画素及び第２画素の各々が有する副画素の配置の一例を示す図である。
【図９】図９は、一辺に隣接する画素が第１画素である表示領域の一例を示す図である。
【図１０】図１０は、四辺に隣接する画素が第１画素である表示領域の一例を示す図である。
【図１１】図１１は、入力画像信号の成分の一例を示す図である。
【図１２】図１２は、赤（Ｒ）、緑（Ｇ）、青（Ｂ）の成分を白（Ｗ）の成分に変換する処理の一例を示す図である。
【図１３】図１３は、入力画像の彩度と電力消費量との関係を示す図である。
【図１４】図１４は、図１３に示した各彩度における第１画素及び第２画素の出力画像信号（データ）との関係を示す図である。
【図１５】図１５は、図１３に示した各彩度における第１画素及び第２画素の出力画像信号（データ）との関係を示す図である。
【図１６】図１６は、図１３に示した各彩度における第１画素及び第２画素の出力画像信号（データ）との関係を示す図である。
【図１７】図１７は、図１３に示した各彩度における第１画素及び第２画素の出力画像信号（データ）との関係を示す図である。
【図１８】図１８は、表示装置の消費電力量と入力画像の彩度との関係を示す図である。
【図１９】図１９は、入力画像の解像度及び第１画素の副画素と第２画素の副画素との輝度比の関係を示す図である。
【図２０】図２０は、第１画素の副画素と第２画素の副画素との輝度比の説明図である。
【図２１】図２１は、第１画素の副画素と第２画素の副画素との輝度比の説明図である。
【図２２】図２２は、第１画素の副画素と第２画素の副画素との輝度比の説明図である。
【図２３Ａ】図２３Ａは、本実施の形態に係る表示装置における色変換の説明図である。
【図２３Ｂ】図２３Ｂは、本実施の形態に係る表示装置における色変換の説明図である。
【図２４Ａ】図２４Ａは、本実施の形態に係る表示装置における色変換の説明図である。
【図２４Ｂ】図２４Ｂは、本実施の形態に係る表示装置における色変換の説明図である。
【図２４Ｃ】図２４Ｃは、本実施の形態に係る表示装置における色変換の説明図である。
【図２５Ａ】図２５Ａは、本実施の形態に係る表示装置における色変換の説明図である。
【図２５Ｂ】図２５Ｂは、本実施の形態に係る表示装置における色変換の説明図である。
【図２５Ｃ】図２５Ｃは、本実施の形態に係る表示装置における色変換の説明図である。
【図２５Ｄ】図２５Ｄは、本実施の形態に係る表示装置における色変換の説明図である。
【図２６Ａ】図２６Ａは、本実施の形態に係る表示装置における色変換の説明図である。
【図２６Ｂ】図２６Ｂは、本実施の形態に係る表示装置における色変換の説明図である。
【図２６Ｃ】図２６Ｃは、本実施の形態に係る表示装置における色変換の説明図である。
【図２７】図２７は、本発明が適用されるスマートフォンの外観の一例を示す図である。
【発明を実施するための形態】
【０００９】
以下に、本開示の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（画像表示装置の構成）
図１は、本実施の形態に係る画像表示装置１００の構成の一例を示すブロック図である。図２は、本実施の形態に係る画像表示部３０の画素３１が含む副画素３２の点灯駆動回路を示す図である。図３は、本実施の形態に係る第１画素３１Ａの副画素３２の配列を示す図である。図４は、本実施の形態に係る第２画素３１Ｂの副画素３２の配列を示す図である。図５は、本実施の形態に係る画像表示部３０の断面構造を示す図である。
【００１１】
図１に示すように、画像表示装置１００は、画像処理回路２０と、画像表示パネルである画像表示部３０と、画像表示部３０の駆動を制御する画像表示パネル駆動回路４０（以下、駆動回路４０ともいう。）と、を備える。画像処理回路２０は、ハードウェア又はソフトウェアのいずれかによって機能が実現されていればよく、特に限定されるものではない。
【００１２】
画像処理回路２０は、画像表示部３０を駆動するための画像表示パネル駆動回路４０と接続されている。画像処理回路２０は、信号処理部２１を有する。信号処理部２１は、入力画像信号に応じて画像表示部３０の各画素３１が有する副画素３２（後述）の出力を決定する。信号処理部２１は、例えば、ＲＧＢ色空間の入力画像信号を、４色で再現されるＲＧＢＷの再現値の再現値に変換する。信号処理部２１は、生成した出力信号を画像表示パネル駆動回路４０に出力する。ここで、出力信号は、画素３１が有する副画素３２の出力（発光状態）を示す信号である。
【００１３】
駆動回路４０は、画像表示部３０の制御装置であって、信号出力回路４１、走査回路４２及び電源回路４３を備えている。画像表示部３０の駆動回路４０は、信号出力回路４１によって、順次、画像表示部３０の各画素３１に出力信号を出力する。信号出力回路４１は、信号線ＤＴＬによって画像表示部３０と電気的に接続されている。画像表示部３０の駆動回路４０は、走査回路４２によって、画像表示部３０における副画素３２を選択し、副画素３２の動作を制御するためのスイッチング素子（例えば、薄膜トランジスタ（ＴＦＴ；Thin  Film  Transistor））のオン及びオフを制御する。走査回路４２は、走査線ＳＣＬによって画像表示部３０と電気的に接続されている。電源回路４３は、電源線ＰＣＬによって各画素３１の後述する自発光体へ電力を供給する。
【００１４】
画像表示部３０は、画素３１が、Ｐ０×Ｑ０個（行方向にＰ０個、列方向にＱ０個）、２次元のマトリクス状（行列状）に配列された表示領域Ａを有する。本実施の形態に係る画像表示部３０は、直線状の辺を有する多角形（例えば矩形）状の平面表示領域を有するが、これは表示領域Ａの具体的形状の一例であってこれに限られるものでなく、適宜変更可能である。
【００１５】
画素３１には、第１の色域に含まれる３色以上の副画素を有する第１画素３１Ａと、第１の色域内の第２の色域に含まれる３色以上の副画素を有する第２画素３１Ｂとが含まれる。なお、第１画素３１Ａと、第２画素３１Ｂとをそれぞれ区別する必要がない場合、画素３１とする。画素３１は、複数の副画素３２を含み、図２に示す副画素３２の点灯駆動回路が２次元のマトリクス状（行列状）に配列されている。点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードのアノードに接続されている。有機発光ダイオードのカソードは、例えば基準電位（例えばアース）に接続されている。なお、図２では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００１６】
図３に示すように、第１画素３１Ａは、例えば、第１副画素３２Ｒ１（以下、図面においては、単に「Ｒ１」とも表記する）と、第２副画素３２Ｇ１（以下、図面においては、単に「Ｇ１」とも表記する）と、第３副画素３２Ｂ１（以下、図面においては、単に「Ｂ１」とも表記する）と、第４副画素３２Ｗ１（以下、図面においては、単に「Ｗ１」とも表記する）とを有する。第１副画素３２Ｒ１は、第１原色（例えば、赤（Ｒ）成分）を表示する。第２副画素３２Ｇ１は、第２原色（例えば、緑（Ｇ）成分）を表示する。第３副画素３２Ｂ１は、第３原色（例えば、青（Ｂ）成分）を表示する。第４副画素３２Ｗ１は、第１原色、第２原色及び第３原色とは異なる追加色成分としての第４の色（本実施の形態では白（Ｗ））を表示する。このように、第１画素３１Ａが有する副画素３２の色のうち３色は、赤、緑、青に対応する。第１画素３１Ａは、例えば、第１副画素３２Ｒ１、第２副画素３２Ｇ１、第３副画素３２Ｂ１及び第４副画素３２Ｗ１が２行２列（２×２）に配置されている。
【００１７】
図４に示すように、第２画素３１Ｂは、例えば、第５副画素３２Ｒ２（以下、図面においては、単に「Ｒ２」とも表記する）と、第６副画素３２Ｇ２（以下、図面においては、単に「Ｇ２」とも表記する）と、第７副画素３２Ｂ２（以下、図面においては、単に「Ｂ２」とも表記する）と、第８副画素３２Ｗ２（以下、図面においては、単に「Ｗ２」とも表記する）とを有する。第５副画素３２Ｒ２は、第１原色（例えば、赤（Ｒ）成分）を表示する。第６副画素３２Ｇ２は、第２原色（例えば、緑（Ｇ）成分）を表示する。第７副画素３２Ｂ２は、第３原色（例えば、青（Ｂ）成分）を表示する。第８副画素３２Ｗ２は、第１原色、第２原色及び第３原色とは異なる追加色成分としての第４の色（本実施の形態では白（Ｗ））を表示する。第２画素３１Ｂは、例えば、第５副画素３２Ｒ２、第６副画素３２Ｇ２、第７副画素３２Ｂ２及び第８副画素３２Ｗ２が２行２列（２×２）に配置されている。本実施の形態では、第５副画素３２Ｒ２は、第１副画素３２Ｒ１に対して相対的に輝度が高く、第６副画素３２Ｇ２は、第２副画素３２Ｇ１に対して相対的に輝度が高く、第７副画素３２Ｂ２は、第３副画素３２Ｂ１に対して相対的に輝度が高い。
【００１８】
このように、本実施の形態では、第１画素３１Ａが有する副画素３２の数と第２画素３１Ｂが有する副画素３２の数は同一である。また、本実施の形態では、第１画素３１Ａ又は第２画素３１Ｂの一方（例えば、第２画素３１Ｂ）の画素が有する副画素３２の色は、他方の画素（第１画素３１Ａ）が有する副画素３２の色と同色である。これらの関係は第１画素３１Ａと第２画素３１Ｂとの関係の一例であってこれに限られるものでなく、適宜変更可能である。例えば、第１画素３１Ａが有する副画素３２の数と第２画素３１Ｂが有する副画素３２の数は異なってもよい。第１画素３１Ａが有する副画素３２の輝度が、第２画素３１Ｂが有する副画素３２の輝度に対して高輝度であってもよい。第１副画素３２Ｒ１と、第２副画素３２Ｇ１と、第３副画素３２Ｂ１と、第４副画素３２Ｗ１と、第５副画素３２Ｒ２と、第６副画素３２Ｇ２と、第７副画素３２Ｂ２と、第８副画素３２Ｗ２とをそれぞれ区別する必要がない場合、副画素３２とする。
【００１９】
図５に示すように、画像表示部３０は、基板５１と、絶縁層５２，５３と、反射層５４と、下部電極５５と、自発光層５６と、上部電極５７と、絶縁層５８と、絶縁層５９と、色変換層としてのカラーフィルタ６１と、遮光層としてのブラックマトリクス６２と、基板５０とを備えている。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素３２Ｒ１と、第２副画素３２Ｇ１と、第３副画素３２Ｂ１と、第４副画素３２Ｗ１と、第５副画素３２Ｒ２と、第６副画素３２Ｇ２と、第７副画素３２Ｂ２と、第８副画素３２Ｗ２とにそれぞれ設けられており、上述した有機発光ダイオードのアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素３２Ｒ１と、第２副画素３２Ｇ１と、第３副画素３２Ｂ１と、第４副画素３２Ｗ１と、第５副画素３２Ｒ２と、第６副画素３２Ｇ２と、第７副画素３２Ｂ２と、第８副画素３２Ｗ２とを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、及び電子注入層を含む。
【００２０】
（ホール輸送層）
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００２１】
（電子注入層、電子輸送層）
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００２２】
（発光層）
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（略称：ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００２３】
上部電極５７は、インジウム錫酸化物（Indium  Tin  Oxide：ＩＴＯ）等の透光性導電材料（透光性導電酸化物）で形成される透光性電極である。なお本実施の形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードのカソード（陰極）になる。絶縁層５８は、上述した上部電極５７を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示部３０全体を保護する透光性の基板であり、例えば、ガラス基板を用いることができる。
【００２４】
なお、図５においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能である。また、キャリア注入層（ホール注入層及び電子注入層）、キャリア輸送層（ホール輸送層及び電子輸送層）、発光層の積層順を適宜変えることも可能である。
【００２５】
画像表示部３０は、カラー表示パネルであり、自発光層５６の発光成分のうち、副画素３２と画像観察者との間に、副画素３２の色に応じた色の光を通過させるカラーフィルタ６１が配置されている。画像表示部３０は、赤（Ｒ）、緑（Ｇ）、青（Ｂ）及び白（Ｗ）に対応する色の光を発光することができる。なお、白（Ｗ）に対応する第４副画素３２Ｗ１及び第８副画素３２Ｗ２と画像観察者との間にカラーフィルタ６１が配置されていないようにしてもよい。また、画像表示部３０は、自発光層５６の発光成分がカラーフィルタ６１などの色変換層を介さず、第１副画素３２Ｒ１、第２副画素３２Ｇ１、第３副画素３２Ｂ１、第４副画素３２Ｗ１、第５副画素３２Ｒ２、第６副画素３２Ｇ２、第７副画素３２Ｂ２、第８副画素３２Ｗ２の各々の色を発光することもできる。この場合、画像表示部３０は、第１副画素３２Ｒ１と画像観察者との間にカラーフィルタ６１が配置され、第５副画素３２Ｒ２と画像観察者との間にカラーフィルタ６１が配置されないなど、少なくとも一部の副画素３２が当該副画素３２に対応する色のカラーフィルタ６１を介して配置されていてもよい。画像表示部３０は、例えば、第４副画素３２Ｗ１及び第８副画素３２Ｗ２には、色調整用のカラーフィルタ６１の代わりに透明な樹脂層が備えられていてもよい。このように画像表示部３０は、透明な樹脂層を設けることで、第４副画素３２Ｗ１及び第８副画素３２Ｗ２に生じる大きな段差を抑制することができる。
【００２６】
本実施の形態では、画像表示部３０は、赤（Ｒ）色を透過させるカラーフィルタ６１を第１副画素３２Ｒ１及び第５副画素３２Ｒ２と観察者との間にそれぞれ配置され、緑（Ｇ）色を透過させるカラーフィルタ６１を第２副画素３２Ｇ１及び第６副画素３２Ｇ２と観察者との間にそれぞれ配置され、青（Ｂ）色を透過させるカラーフィルタ６１を第３副画素３２Ｂ１及び第７副画素３２Ｂ２と観察者との間にそれぞれ配置される。ここで、第５副画素３２Ｒ２と観察者との間に配置されるカラーフィルタ６１は、第１副画素３２Ｒ１と観察者との間に配置されるカラーフィルタ６１より透過率が高く、第６副画素３２Ｇ２と観察者との間に配置されるカラーフィルタ６１は、第２副画素３２Ｇ１と観察者との間に配置されるカラーフィルタ６１より透過率が高く、第７副画素３２Ｂ２と観察者との間に配置されるカラーフィルタ６１は、第３副画素３２Ｂ１と観察者との間に配置されるカラーフィルタ６１より透過率が高く設計される。
【００２７】
ここで、カラーフィルタ６１の透過特性について説明する。図６は、カラーフィルタ６１の透過率曲線を示す図である。なお、図６においては、横軸に波長を示し、縦軸に透過率を示している。本実施の形態においては、上述したように、第１画素３１Ａの第１副画素３２Ｒ１、第２副画素３２Ｇ１、及び第３副画素３２Ｂ１と観察者との間に配置されるカラーフィルタ６１に対して、相対的に透過率が高いカラーフィルタ６１を第２画素３１Ｂの第５副画素３２Ｒ２、第６副画素３２Ｇ２、及び第７副画素３２Ｂ２と観察者との間に配置する。これにより、図６に示すように、第１副画素３２Ｒ１とカラーフィルタ６１と観察者との間に配置されるカラーフィルタ６１の赤色領域の透過率（曲線ＬＲ１）に対して、第５副画素３２Ｒ２とカラーフィルタ６１と観察者との間に配置されるカラーフィルタ６１の赤色領域の透過率（曲線ＬＲ２）が向上し、第２副画素３２Ｇ１とカラーフィルタ６１と観察者との間に配置されるカラーフィルタ６１の緑色領域の透過率（曲線ＬＧ１）に対して、第６副画素３２Ｇ２とカラーフィルタ６１と観察者との間に配置されるカラーフィルタ６１の緑色領域の透過率（曲線ＬＧ２）が向上し、第３副画素３２Ｂ１とカラーフィルタ６１と観察者との間に配置されるカラーフィルタ６１の青色領域の透過率（曲線ＬＢ１）に対して、第７副画素３２Ｂ２とカラーフィルタ６１と観察者との間に配置されるカラーフィルタ６１の青色領域の透過率（曲線ＬＢ２）が向上する。これらにより、透過率が高いカラーフィルタ６１を用いて第２画素３１Ｂに属する副画素３２の透過率が向上して発光光の利用効率が大幅に向上することが分かる。
【００２８】
図７は、第１画素３１Ａが有する副画素３２で再現可能な色空間Ｚ１と第２画素３１Ｂが有する副画素３２で再現可能な色空間Ｚ２の一例を示す図である。図７に示す例では、色空間Ｚ１及び色空間Ｚ２を示す三角形の内側の中心部である（Ｒ，Ｇ，Ｂ）＝（２５５，２５５，２５５）に対応する位置が白（Ｗ）となる。図７に示すように、本実施の形態では、第２画素３１Ｂに属する副画素３２は、第１画素３１Ａに属する副画素３２に対して相対的に透過率が高く設計されるので、第２画素３１Ｂで再現可能な彩度の上限が第１画素３１Ａで再現可能な彩度の上限に対して小さくなる。すなわち、第２画素３１Ｂが有する副画素３２の色空間（第２の色域）Ｚ２は、彩度の上限が第１画素３１Ａの有する副画素３２の色空間（第１の色域）Ｚ１の範囲内となる。このため、本実施の形態では、第１画素３１Ａは、色空間Ｚ１及びＺ２のいずれの色も再現することが可能となり、第１画素３１Ａに対して相対的に効率が高い第２画素３１Ｂは、色空間Ｚ２外であって色空間Ｚ１内の領域の色を再現することはできず、色空間Ｚ２内の色のみを再現することができる。
【００２９】
なお、図７に示したＲＧＢ等の色域は、ＸＹＺ表色系のｘｙ色度範囲上において、三角形状の範囲で示されているが、定義色域が定義される所定の色空間は、三角形状の範囲で定められることに限定されるものではなく、副画素の色数に応じた多角形状等の任意の形状の範囲で定められるものとしてもよい。
【００３０】
第１副画素３２Ｒ１、第２副画素３２Ｇ１、第３副画素３２Ｂ１、第５副画素３２Ｒ２、第６副画素３２Ｇ２、及び第７副画素３２Ｂ２と観察者との間に配置される６種類のカラーフィルタ６１は、例えば、第５副画素３２Ｒ２、第６副画素３２Ｇ２、及び第７副画素３２Ｂ２と観察者との間に配置されるカラーフィルタ６１の露光量を第１副画素３２Ｒ１、第２副画素３２Ｇ１、及び第３副画素３２Ｂ１と観察者との間に配置されるカラーフィルタ６１の露光量に対して大きくすることにより一括で形成できる。また、これらの６種類のカラーフィルタ６１は、第５副画素３２Ｒ２、第６副画素３２Ｇ２、及び第７副画素３２Ｂ２と観察者との間に配置されるカラーフィルタ６１の面積を第１副画素３２Ｒ１、第２副画素３２Ｇ１、及び第３副画素３２Ｂ１と観察者との間に配置されるカラーフィルタ６１の面積に対して小さくすることにより一括で形成できる。さらに、これらの６種類のカラーフィルタ６１は、第５副画素３２Ｒ２、第６副画素３２Ｇ２、及び第７副画素３２Ｂ２と観察者との間に配置されるカラーフィルタ６１を透明又は白色の下地層としてのレジスト上に形成することにより一括で形成することができる。これらにより、これらの６種類のカラーフィルタ６１をそれぞれ独立して製造する場合と比較して製造工程を簡略化することが可能となる。
【００３１】
本実施の形態では、信号処理部２１は、入力画像信号の彩度が色空間Ｚ２内である場合には、第１画素３１Ａ及び第２画素３１Ｂの各々は、単独で各々の入力画像信号に応じた出力（例えば、発光）を行う。また、信号処理部２１は、入力画像信号の彩度が色空間Ｚ２外であって色空間Ｚ１内である場合には、第１画素３１Ａ及び第２画素３１Ｂの各々は、第１画素３１Ａの入力画像信号に応じた出力を当該第１画素３１Ａに隣接する第２画素３１Ｂと共有して出力（例えば、発光）を行う。
【００３２】
（画素及び副画素の配置）
次に、図８を参照して、画素３１及び副画素３２の配置例について詳細に説明する。図８は、第１画素３１Ａと第２画素３１Ｂとの位置関係並びに第１画素３１Ａ及び第２画素３１Ｂの各々が有する副画素３２の配置の一例を示す図である。図８に示すように、画像表示部３０は、画素３１が２次元マトリクス状に配置されている。第１画素３１Ａと第２画素３１Ｂとは隣接して配置される。また、第２画素３１Ｂは、千鳥状に配置されている。よって、第２画素３１Ｂに隣接する第１画素３１Ａも千鳥状に配置されている。なお、ここでいう「千鳥状」とは、複数の画素３１間の区切り（輪郭）が表示領域内に格子を描くマトリクス状の配置において、行方向及び列方向（又は上下方向及び左右方向）に互い違いに設けられていることをさし、所謂市松模様（チェック模様）状に対応する。
【００３３】
このように、画像表示装置１００は、第１の色域に含まれる３色以上の副画素３２を有する第１画素３１Ａと、第１の色域内の第２の色域に含まれる３色以上の副画素３２を有する第２画素３１Ｂとがマトリクス状に設けられて第１画素３１Ａと第２画素３１Ｂとが隣接する画像表示部３０を有する。なお、本実施の形態において「隣接」とは、画像表示部３０の行方向（左右方向）及び列方向（上下方向）の少なくとも一方に沿う方向で隣り合うことを差し、行方向及び列方向に対して傾斜する斜め方向の画素３１の配置については含まれない。
【００３４】
第１画素３１Ａにおける副画素３２の配置と第２画素３１Ｂにおける副画素３２の配置は、所定の対応関係を有するように配置されてもよい。第１画素３１Ａにおける副画素３２の配置と第２画素３１Ｂにおける副画素３２の配置とは、第１画素３１Ａが有する副画素３２の色相と第２画素３１Ｂが有する副画素３２の色相とを対比した場合に、各画素３１における色相の配置が近似する配置であるように配置されてもよい。また、第１画素３１Ａにおける副画素３２の配置と第２画素３１Ｂにおける副画素３２の配置は、色配置は、それぞれ回転対称（対象移動）させた組み合わせならどのような組み合わせでもよい。同じ色相の副画素３２が周囲的に繰り返されている配列が好ましい。第１画素３１Ａ及び第２画素３１Ｂにおける副画素３２の配置が２行２列（２×２）であって、第１画素３１Ａの副画素３２が、左上、右上、右下、左下の順に、第１副画素３２Ｒ１、第２副画素３２Ｇ１、第３副画素３２Ｂ１、第４副画素３２Ｗ１である場合に、第２画素３１Ｂの副画素３２が、左上、右上、右下、左下の順に、第５副画素３２Ｒ２、第６副画素３２Ｇ２、第７副画素３２Ｂ２、第８副画素３２Ｗ２であってもよい。この場合、第１画素３１Ａ及び第２画素３１Ｂを色相環として見立てた場合の色相の回転方向が同一であることになる。
【００３５】
第１画素３１Ａにおける白色の副画素の配置と第２画素３１Ｂにおける白色の副画素の配置とは同一である。例えば、第４画素３２Ｗ１及び第８画素３２Ｗ２は共に、画素３１の左下に配置されている。白色の副画素の配置は左下に限られるものでなく、画素３１の任意の位置に配置することができる。
【００３６】
なお、以下の説明では、原則として、図８に示したように、第２画素３１Ｂの配置が千鳥状であって、第１画素３１Ａが有する副画素３２の配置と第２画素３１Ｂが有する副画素３２の配置との関係が色成分に対応する場合について説明するが、本発明はこれに限られるものでない。第１画素３１Ａが有する副画素３２の配置と第２画素３１Ｂが有する副画素３２の配置とは本発明の効果を奏する範囲で適宜変更可能である。
【００３７】
出力信号は、第１画素３１Ａと第２画素３１Ｂの配置に応じて、第１画素３１Ａ及び第２画素３１Ｂに対して個別に出力される。第１画素３１Ａに対応する位置に赤（Ｒ）、緑（Ｇ）、青（Ｂ）、白（Ｗ）の色の光を発光する第１副画素３２Ｒ１、第２副画素３２Ｇ１、第３副画素３２Ｂ１及び第４副画素３２Ｗ１の発光状態を示す出力信号が出力される。第２画素３１Ｂに対応する位置に赤（Ｒ）、緑（Ｇ）、青（Ｂ）、白（Ｗ）の色の光を発光する第５副画素３２Ｒ２、第６副画素３２Ｇ２、第７副画素３２Ｂ２及び第８副画素３２Ｗ２の発光状態を示す出力信号が出力される。
【００３８】
なお、本実施の形態では、表示領域Ａの少なくとも一辺に隣接する画素は第１画素３１Ａであってもよい。図９は、一辺に隣接する画素が第１画素３１Ａである表示領域Ａの一例を示す図である。図９に示すように、辺隣接領域Ａ１では、表示領域Ａの外縁に対応する一辺に隣接する画素列を構成する画素が全て第１画素３１Ａであってもよい。当該第１画素３１Ａの各々は、単独で各々の入力画像信号に応じた出力（例えば発光）を行う。
【００３９】
なお、表示領域Ａの辺のうち二辺以上の辺に隣接する画素を第１画素３１Ａとしてもよい。図１０は、四辺に隣接する画素が第１画素３１Ａである表示領域Ａの一例を示す図である。図１０の辺隣接領域Ａ２で示すように、矩形状の表示領域Ａの全ての辺に隣接する画素を第１画素３１Ａとしてもよい。この場合、加速度センサ等の検出部と当該検出部に応じて画面の回転状態を制御する回転制御部とを有する画像表示装置１００又は電子機器において、辺隣接領域Ａ２に隣接する第２画素３１Ｂは、必ず第１画素３１Ａと隣接することができる。この場合、検出部は、例えば地球等が有するより大きい重力に対する重力加速度を計測することで画像表示装置１００の傾きを検出する。回転制御部は、検出部による検出結果に応じて表示領域Ａの上下左右を決定し、決定された上下左右に応じた出力を信号処理部２１又は駆動回路４０に行わせる。図１０では四辺に隣接する画素が第１画素３１Ａであるが、このうち二辺又は三辺に隣接する画素のみ第１画素３１Ａであってもよい。また、画像表示装置１００が四角形以外の多角形である場合に、その辺の一部又は全部に隣接する画素が第１画素３１Ａであってもよい。
【００４０】
（画像処理回路の処理）
次に、画像処理回路２０による処理について説明する。信号処理部２１は、第２画素３１Ｂに対応する入力画像信号の成分である第２成分が示す色の色相、彩度、輝度が第２の色域の色域内成分である場合には、第１画素３１Ｂに対応する入力画像信号の成分である第１成分に基づいて第１画素３１Ｂが有する副画素３２の出力を決定すると共に、第２画素３１Ｂに対応する入力画像信号の成分である第２成分に基づいて第２画素３１Ｂが有する副画素３２の出力を決定する。また、信号処理部２１は、第１画素３１Ｂに対応する入力画像信号の成分である第１成分及び第２画素３１Ｂに対応する入力画像信号の成分である第２成分を隣接する第１画素３１Ａ及び第２画素３１Ｂ間で色変換して第１画素３１Ａが有する副画素３２の出力及び第２画素３１Ｂが有する副画素３２の出力を決定する。さらに、信号処理部２１は、第２画素３１Ｂに対応する入力画像信号の成分である第２成分が第２の色域の色域外成分を含む場合には、第１画素３１Ｂに対応する入力画像信号の成分である第１成分及び第２画素３１Ｂに対応する入力画像信号の成分である第２成分を隣接する第１画素３１Ａ及び第２画素３１Ｂ間で色変換し、第２画素３１Ｂが有する副画素の出力を決定する。なお、「副画素３２の出力」とは、当該副画素３２からの光の出力の有無に限らず、光の出力がある場合の光の強弱を含む。すなわち、「副画素３２の出力を決定する」とは、各々の副画素３２からの光の強度を決定することをさす。また、「成分を副画素３２の出力に反映させる」とは、当該成分に応じた光の強度の増減を当該副画素３２の光の出力における光の強度の強弱に反映させることをさす。
【００４１】
本実施の形態では、入力画像信号は、ＲＧＢ色空間に対応している。以下、入力画像信号が、赤（Ｒ）成分、緑（Ｇ）成分、青（Ｂ）成分の各階調が８ビット（２５６階調）である場合、すなわち（Ｒ，Ｇ，Ｂ）＝（０，０，０）〜（２５５，２５５，２５５）の範囲内で構成される場合について説明する。このように、本実施の形態では、入力画像信号の成分は、第１画素３１Ａが有する副画素３２のうち３色に対応する。この入力画像信号は、入力画像信号の成分の一例であってこれに限られるものでなく、適宜変更可能である。また、以下の説明で示す入力画像信号の具体的な数値は、あくまで一例であってこれに限られるものでなく、任意の数値を取ることができる。
【００４２】
図１１は、入力画像信号の成分の一例を示す図である。以下の説明では、第１画素３１Ａに対応する入力画像信号及び第２画素３１Ｂに対応する入力画像信号が共に図１１に示すような赤（Ｒ）、緑（Ｇ）、青（Ｂ）の成分を示す入力画像信号である場合について説明する。すなわち、この場合、第１画素３１Ａに対応する入力画像信号の成分である第１成分と、第２画素３１Ｂに対応する入力画像信号の成分である第２成分は、図９に示す赤（Ｒ）、緑（Ｇ）、青（Ｂ）の色値の組み合わせであり、当該組み合わせにより表される色を構成する成分（Ｒ，Ｇ，Ｂ）である。
【００４３】
（信号処理部の処理：基本的処理）
まず、画素３１が有する副画素３２の出力の決定に関する処理について説明する。図１２は、赤（Ｒ）、緑（Ｇ）、青（Ｂ）の成分を白（Ｗ）の成分に変換する処理の一例を示す図である。図１２に示すように、信号処理部２１は、画素３１に対応する入力画像信号の成分である赤（Ｒ）、緑（Ｇ）、青（Ｂ）の成分のうち最も彩度が小さい成分（図１０の場合、青（Ｂ））の成分量に対応する成分量を赤（Ｒ）、緑（Ｇ）、及び青（Ｂ）の成分から抜き出して白（Ｗ）に変換する。白（Ｗ）は、第４副画素３２Ｗ１及び第８副画素３２Ｗ２の色である。このように、信号処理部２１は、画素３１に対応する入力画像信号の成分のうち、白色で再現可能な成分を白色に変換する処理を行う。
【００４４】
次に、図１３は、入力画像の彩度と電力消費量との関係を示す図であり、図１４〜図１７は、図１３に示した各彩度における第１画素３１Ａ及び第２画素３１Ｂの点灯量との関係を示す図である。なお、図１３においては、横軸に入力画像の彩度を示し、縦軸に電力消費量を示し、ＲＧＢ方式の消費電力量を点線Ｌ１０で示し、第１画素３１Ａのみを用いて画像表示する場合（以下、「ＲＧＢＷ１方式」ともいう）の消費電力量を直線Ｌ１１で示し、第１画素３１Ａ及び第２画素３１Ｂを用いて画像表示する場合（以下、「ＲＧＢＷ２方式」ともいう）の消費電力量を点線Ｌ１２で示している。図１３に示す例では、入力画像の彩度が０．９以上１．０以下の範囲では色空間Ｚ１の範囲内となり、０．０以上０．９未満の範囲では色空間Ｚ２の範囲内となる。また、図１４〜図１７においては、ＲＧＢＷ１方式の各副画素３２の出力画像信号（データ）点灯量と、ＲＧＢＷ２方式の各副画素３２の出力画像信号（データ）を模式的に示している。
【００４５】
図１４に示すように、色空間Ｚ２の範囲内の彩度Ｓ＝０の入力画像信号（赤（Ｒ），緑（Ｇ），青（Ｂ））＝（２５５，２５５，２５５）（図１３の点Ｐ１参照）が入力された場合、信号処理部２１は、赤（Ｒ）、緑（Ｇ）、青（Ｂ）の成分を全て白（Ｗ）の成分に変換する。この場合、信号処理部２１は、ＲＧＢＷ１方式では、（赤（Ｒ），緑（Ｇ），青（Ｂ），白（Ｗ））＝（０，０，０，２５５）とし、ＲＧＢＷ２方式では、（赤（Ｒ１），緑（Ｇ１），青（Ｂ１），白（Ｗ１），赤（Ｒ２），緑（Ｇ２），青（Ｂ２），白（Ｗ２））＝（０，０，０，０，０，０，０，２５５）とする。ここで、第４副画素３２Ｗ１及び第８副画素３２Ｗ２は、同一の透過率を有するので、第４副画素３２Ｗ１及び第８副画素３２Ｗ２の点灯による消費電力量は同一となる。このとき、第４副画素３２Ｗ１及び第８副画素３２Ｗ２は、発光量（発光効率）が第１副画素３２Ｒ１、第２副画素３２Ｇ１、及び第３副画素３２Ｂ１を全て点灯した場合より出力輝度で２倍高いので、消費電力量３．０から消費電力量０．５に消費電力量を削減することが可能となる。
【００４６】
図１５に示すように、色空間Ｚ２の範囲外の色空間Ｚ１の範囲内の彩度＝１の入力画像信号（（赤（Ｒ），緑（Ｇ），青（Ｂ））＝（０，２５５，０）図１３の点Ｐ２参照））が入力された場合、信号処理部２１は、ＲＧＢＷ１方式では、（赤（Ｒ），緑（Ｇ），青（Ｂ），白（Ｗ））＝（０，２５５，０，０）とする。一方、信号処理部２１は、ＲＧＢＷ２方式でも、第２副画素Ｇに対して相対的に透過率が高い第２画素３１Ｂの第６副画素３２Ｇ２では彩度＝１の画像を表示することはできないので、（赤（Ｒ１），緑（Ｇ１），青（Ｂ１），白（Ｗ１），赤（Ｒ２），緑（Ｇ２），青（Ｂ２），白（Ｗ２））＝（０，２５５，０，０，０，０，０，０）とする。この結果、第１画素３１Ａのみを用いる場合の電力消費量と第１画素３１Ａ及び第２画素３１Ｂの双方を用いる場合の電力消費量とが同一となる。
【００４７】
図１６に示すように、色空間Ｚ２の範囲内の彩度＝０．５の入力画像信号（（赤（Ｒ），緑（Ｇ），青（Ｂ））＝（１２８，２５５，１２８）図１３の点Ｐ３参照）が入力された場合、信号処理部２１は、ＲＧＢＷ１方式では、（赤（Ｒ），緑（Ｇ），青（Ｂ），白（Ｗ））＝（０，１２８，０，１２８）とする。一方、信号処理部２１は、ＲＧＢＷ２方式では、（赤（Ｒ１），緑（Ｇ１），青（Ｂ１），白（Ｗ１），赤（Ｒ２），緑（Ｇ２），青（Ｂ２），白（Ｗ２））＝（０，０，０，０，０，１１５，０，１２８）とする。これにより、第１画素３１Ａ及び第２画素３１Ｂの双方を用いる場合には、第１画素３１Ａのみを用いる場合と比較して透過率が高い副画素３２で入力画像信号の色情報を再現できるので、電力消費量をより削減することが可能となる。
【００４８】
図１７に示すように、色空間Ｚ２の範囲内の彩度＝０．９５程度の入力画像信号（図１３の点Ｐ４参照）が入力された場合、信号処理部２１は、ＲＧＢＷ１方式では、第４副画素３２Ｗ１及び第２副画素３２Ｇ１の点灯量を調整して彩度Ｓ＝０．９５の画像を再現する。一方、信号処理部２１は、ＲＧＢＷ２方式では、第２副画素３２Ｇ１及び当該第２副画素Ｇより相対的に輝度が高い第６副画素３２Ｇ２の点灯量を所定範囲にして彩度Ｓ＝０．９５の画像を再現する。これにより、第１画素３１Ａ及び第２画素３１Ｂの双方を用いる場合には、第１画素３１Ａのみを用いる場合と比較して透過率が高い副画素３２又は透過率が高いカラーフィルタ６１を有する副画素３２で入力画像信号の色情報を再現できるので、電力消費量をより削減することが可能となる。
【００４９】
図１８は、表示装置１の消費電力量と入力画像の彩度との関係を示す図である。なお、図１８においては、横軸に入力画像の彩度を示し、縦軸に彩度Ｓ＝０の画像を表示する場合の消費電力を１とした場合に対する電力比を示している。
【００５０】
図１８に示すように、入力画像の彩度が低彩度（彩度Ｓ＝０）又は高彩度（彩度Ｓ＝１）の場合には、上述したように、ＲＧＢＷ２方式とＲＧＢＷ１方式とで点灯する副画素３２及び副画素３２の点灯量は同一となるので、電力比は１．００となる。一方で、入力画像の彩度Ｓが色空間Ｚ２の外縁部に近づくにつれて電力比は低下し、第２画素３１Ｂが再現できる最大範囲である色空間Ｚ２と色空間Ｚ１との間の領域の際に電力比は最小となる。このように、本実施の形態では、第１画素３１Ａに対して相対的に透過率が高く彩度が低い第２画素３１Ｂを第１画素に併用することにより、特に、入力画像の自然画などが含まれる低彩度〜中彩度の範囲において効率良く電力を削減することが可能となる。
【００５１】
次に、本実施の形態に係る表示装置１における色変換について詳細に説明する。図１９は、入力画像の解像度及び第１画素３１Ａの副画素３２と第２画素３１Ｂの副画素３２との輝度比の関係を示す図である。なお、図１９においては、横軸に入力画像の解像度を示し、縦軸に第１画素３１Ａの副画素３２と第２画素３１Ｂの副画素３２との輝度比（第１画素３１Ａの副画素３２／第２画素３１Ｂの副画素３２）を示している。
【００５２】
本実施の形態においては、第２画素３１Ｂに対する入力画像信号が色空間Ｚ２の範囲外となる場合には、色変換により第１画素３１Ａの副画素３２に対する入力画像信号の一部を第２画素３１Ｂの副画素３２を用いて表示する。この場合、図１９に示すように、入力画像の解像度が低い場合には、第２画素３１Ｂの輝度を小さくして第１画素３１Ａの輝度を大きくする。これにより、第１画素３１Ａのみで画像を表示することができるので、消費電力の削減が可能となる。また、入力画像の解像度が高い場合には、第２画素３１Ｂの輝度を大きくして第１画素３１Ａの輝度を小さくする。これにより、解像度を低下させずに高輝度な第２画素３１Ｂを用いて画像を表示することができるので、消費電力の削減が可能となる。
【００５３】
次に、図２０〜図２２を参照して第１画素３１Ａの副画素３２と第２画素３１Ｂの副画素３２との輝度比について詳細に説明する。本実施の形態では、入力画像の色座標に応じて第１画素３１Ａ及び第２画素３１Ｂに入力される画像信号を色変換して第１画素３１Ａ及び第２画素３１Ｂの副画素３２の輝度比を決定して最適設計値を設定する。図２０〜図２２に示す例では、最適設計値を彩度Ｓ＝０．９７５の近傍（図２１の点Ｐ参照）に設定し、この最適設計値で第１画素３１Ａの第１副画素３２Ｒ１と第２画素３１Ｂの第５副画素３２Ｒ２との輝度比が０．５となるように設定する。例えば、図２１及び図２２に示すように、彩度Ｓ＝０．９５の場合には、第２画素３１Ｂの第５副画素３２Ｒ２の輝度が０．９程度となり、第１画素３１Ａの第１副画素３２Ｒ１の輝度が０．１程度となるように設計する。そして、彩度Ｓ＝０．９５から彩度Ｓ＝１．００に向けて徐々に第１画素３１Ａの第１副画素３２Ｒ１の輝度比が高くなるようにし、最適設計値である彩度Ｓ＝０．９７５の近傍の際に第１画素３１Ａの第１副画素３２Ｒ１の輝度と第２画素３１Ｂの第５副画素３２Ｒ２の輝度とが略等しくなるように設計する。これにより、入力画像の解像度を低下させずに消費電力を削減することが可能となる。
【００５４】
次に、信号処理部２１における色変換について詳細に説明する。本実施の形態においては、第２色空間Ｚ２の範囲外となる色空間Ｚ２では、色変換を行い第２画素３１Ｂの副画素３２を点灯することにより、入力画像の解像度及び信頼性を向上しつつ、電力消費量を削減する。この色変換は、色空間Ｚ２のみで行ってもよく、色空間Ｚ１及び色空間Ｚ２の双方で実施してもよい。この場合、色変換量は、入力画像信号の色相及び彩度に応じて適宜変更して人間の感覚に応じた処理を行うことが可能である。色変換で第１画素３１Ａ及び第２画素３１Ｂを用いて画像表示する場合、入力画像信号に対して出力信号の色相及び輝度は極力変わらないように処理する。色変換は、例えば、色空間Ｚ２の範囲外で彩度が高くなるにつれて第２画素３１Ｂに変換する色変換量を上げてもよい。また、色変換では、入力画像信号の輝度を維持して色相を変えないようにするために第４副画素３２Ｗ１及び第８副画素Ｗ２の点灯量を調整してもよい。また、電力優先モード、色優先モードなど、表示装置１の用途に応じて、色変換の割合、第１画素３１Ａと第２画素３１Ｂとの間での色変換量を変えるようにしてもよい。
【００５５】
信号処理部２１は、隣接する２つの第１画素３１Ａ及び第２画素３１Ｂに対応する入力画像信号のうち当該第２画素３１Ｂが有する副画素３２で色を再現することができない成分である色域外成分を、第１画素３１Ａで再現するように色変換した後、第１画素３１Ａ及び第２画素３１Ｂ分の入力画像信号を処理する。これによって、第２画素３１Ｂが有する副画素３２で色を再現することができない成分があっても、入力画像信号に対応した色再現を行うことができる。また、入力画像信号の成分のうち白色に変換可能な成分がある場合に白色の副画素を点灯させるように第１画素３１Ａ及び第２画素３１Ｂの出力を決定することで、各画素３１の輝度を白色の副画素の点灯により確保することができる。すなわち、輝度を確保する観点において他の色の副画素３２の出力をより抑えることができることから、より高いレベルの省電力性を実現することができる。さらに、信号処理部２１は、入力画像信号の色相及び彩度に応じて、入力画像信号に応じた各画素の副画素３２の出力の決定方法を変更するようにしてもよい。また、信号処理部２１は、入力画像の平均輝度に応じて、例えば、高輝度画像からの色変換量が低輝度画像からの色変換量に対して多くなるように色変換量を調整してもよい。さらに、信号処理部２１は、輝度伸長時及び電力制限時には、解像度感を低下させて第２画素３１Ｂへの色変換量を増大させてもよい。
【００５６】
（信号処理部の処理：色変換の具体例）
次に、図２３Ａ〜図２６Ｃを参照して色変換の具体例について説明する。図２３Ａ〜図２６Ｃは、本実施の形態に係る表示装置１における色変換の説明図である。まず、図２３Ａに示すように、第１画素３１Ａに対応する入力画像信号が（Ｒ，Ｇ，Ｂ）＝（２５５，０，０）であり、第１画素３１Ａに隣接する第２画素３１Ｂに対応する入力画像信号がともに（Ｒ，Ｇ，Ｂ）＝（０，０，０）である場合について考える。この場合、信号処理部２１は、第１画素３１Ａに対する入力画像信号の成分のうち第２画素３１Ｂが有する第５副画素３２Ｒ２の色で再現可能な成分を、第２画素３１Ｂが有する第５副画素３２Ｒ２の色に変換する。この結果、図２３Ｂに示すように、第１画素３１Ａの成分は、（Ｒ，Ｇ，Ｂ）＝（１５５，０，０）となり、第２画素３１Ｂの成分は、（Ｒ，Ｇ，Ｂ）＝（１００，０，０）となる。これにより、第１副画素３２Ｒ１の点灯量を削減しつつ、第１副画素３２Ｒ１より相対的に消費電力量が小さい第５副画素３２Ｒ２を点灯させて入力画像信号を再現することができるので、表示装置１の消費電力の削減が可能となる。また、第１画素３１Ａ及び第２画素３１Ｂを用いて入力画像を再現できるので、画像の解像度を維持することが可能となる。
【００５７】
次に、図２４Ａに示すように、第１画素３１Ａに対応する入力画像信号が（Ｒ，Ｇ，Ｂ）＝（２５５，０，０）であり、第１画素３１Ａに隣接する第２画素３１Ｂに対応する入力画像信号が（Ｒ，Ｇ，Ｂ）＝（０，２５５，０）である場合について考える。この場合信号処理部２１は、第１画素３１Ａの第１副画素３２Ｒ１を用いて入力画像信号を再現することができるが、第２画素３１Ｂの第６副画素３２Ｇ２を用いて入力画像信号を再現することはできない。ここで、色変換する場合には、図２４Ｂに示すように、信号処理部２１は、第２画素３１Ｂで表現できない入力画像信号である第２画素３１Ｂの入力画像信号の緑成分を第１画素３１Ａの入力画像信号に含めて第１画素３１Ａに対する（Ｒ，Ｇ，Ｂ）＝（２５５，２５５，０）の入力画像信号に単純変換する。続いて、信号処理部２１は、単純変換した第１画素３１に対する入力画像信号の緑成分の一部を、第１画素３１Ａの第２副画素３２Ｇ１の点灯量が第２画素３１Ｂの第６副画素３２Ｇ２の点灯量より小さくなるように第２画素３１Ｂの入力画像信号に含めて色変換する。この結果、図２４Ｃに示すように、第１画素３１Ａの成分は、（Ｒ，Ｇ，Ｂ）＝（２５５，１００，０）となり、第２画素３１Ｂの成分は、（Ｒ，Ｇ，Ｂ）＝（０，１５５，０）となる。ここでは、信号処理部２１は、第２画素３１Ｂの入力画像信号の緑成分を第１画素３１Ａの入力画像信号に含めずに直接色変換してもよい。これにより、第２副画素３２Ｇ１の点灯量を削減しつつ、第２副画素３２Ｇ１より相対的に消費電力量が小さい第６副画素３２Ｇ２を点灯させて入力画像信号を再現することができるので、表示装置１の消費電力の削減が可能となる。また、第１画素３１Ａ及び第２画素３２Ｂ１のそれぞれ緑色の副画素を用いて入力画像を再現できるので、画像の解像度を維持させることが可能となる。
【００５８】
次に、図２５Ａに示すように、第１画素３１Ａに対応する入力画像信号が（Ｒ，Ｇ，Ｂ）＝（５０，０，０）であり、第１画素３１Ａに隣接する第２画素３１Ｂに対応する入力画像信号が（Ｒ，Ｇ，Ｂ）＝（１００，０，０）である場合について考える。この場合、信号処理部２１は、第１画素３１Ａの第１副画素３２Ｒ１及び第２画素３１Ｂの第５副画素３２Ｒ２を用いて入力画像信号を再現することができる。ここで、色変換する場合には、図２５Ｂに示すように、信号処理部２１は、第２画素３１Ｂの入力画像信号の赤成分を第１画素３１Ａの入力画像信号に含める単純変換及び彩度変換により第１画素３１Ａに対する（Ｒ，Ｇ，Ｂ）＝（１５０，０，０）の入力画像信号とする。この場合、データ上の第１画素３１Ａの色成分は、（Ｒ，Ｇ，Ｂ）＝（１５０，１０，１０）となる。続いて、信号処理部２１は、第１画素３１Ａ及び第２画素３１Ｂがそれぞれ入力画像信号の色成分に近づくように、単純変換した第１画素３１に対する入力画像信号の赤成分の一部を第２画素３１Ｂの入力画像信号に含めると共に第１画素３１Ａの第４副画素３２Ｗ１に色変換する。この結果、図２５Ｃに示すように、第１画素３１Ａの成分は、（Ｒ，Ｇ，Ｂ，Ｗ）＝（５０，０，０，１０）となり、第２画素３１Ｂの成分は、（Ｒ，Ｇ，Ｂ，Ｗ）＝（９０，０，０，０）となる。この結果、第１画素３１Ａの第１副画素３２Ｒ１の輝度と第２画素３１Ｂの第５副画素３２Ｒ２に対する輝度とがデータ上等しくなる。次に、信号処理部２１は、第２画素３１Ｂの輝度と第１画素３１Ａの輝度とを合わせるように、色変換した第１画素３１に対する入力画像信号の白成分を第２画素３１Ｂの入力画像信号に含めて輝度調整する。この結果、図２５Ｄに示すように、第１画素３１Ａの成分は、（Ｒ，Ｇ，Ｂ，Ｗ）＝（５０，０，０，０）となり、第２画素３１Ｂの成分は、（Ｒ，Ｇ，Ｂ，Ｗ）＝（８２，０，０，９）となる。これにより、入力画像の輝度に応じて任意に画像データの色相、彩度を調整することが可能となる。
【００５９】
次に、図２６Ａに示すように、第１画素３１Ａに対応する入力画像信号が（Ｒ，Ｇ，Ｂ，Ｗ）＝（１００，０，０，１００）であり、第１画素３１Ａに隣接する第２画素３１Ｂに対応する入力画像信号が（Ｒ，Ｇ，Ｂ，Ｗ）＝（２００，０，０，０）である場合について考える。この場合、信号処理部２１は、第１画素３１Ａについては、第１副画素３２Ｒ１を用いて入力画像信号を再現することができるが、第２画素３１Ｂについては、第５副画素３２Ｒ２を用いて入力画像信号を再現することができない。そこで、信号処理部２１は、図２６Ｂに示すように、信号処理部２１は、第１画素３１Ａの入力画像信号の赤成分を第２画素３１Ｂの入力画像信号に含めると共に、第２画素３１Ｂの入力画像信号の白成分を第１画素３１Ａの入力画像信号に含めて第２画素３１Ｂの赤成分を点灯させると共に、第１画素３１Ａの赤成分の点灯量を補うように、第１画素３１Ａの白成分の点灯量を増大させる色変換を実行する。この結果、図２６Ｂに示すように、第１画素３１Ａの成分は、（Ｒ，Ｇ，Ｂ，Ｗ）＝（７０，０，０，１３０）となり、第２画素３１Ｂの成分は、（Ｒ，Ｇ，Ｂ，Ｗ）＝（２００，０，０，０）となる。続いて、信号処理部２１は、第２画素３１Ｂの輝度と第１画素３１Ａの輝度とを合わせるように、色変換した第１画素３１に対する入力画像信号の白成分を第２画素３１Ｂの入力画像信号に含めて輝度調整する。この結果、図２６Ｃに示すように、第１画素３１Ａの成分は、（Ｒ，Ｇ，Ｂ，Ｗ）＝（６４，０，０，１１８）となり、第２画素３１Ｂの成分は、（Ｒ，Ｇ，Ｂ，Ｗ）＝（２００，０，０，０）となる。これにより、入力画像の輝度に応じて任意に画像データの色相、彩度を調整することが可能となる。これにより、入力画像の輝度に応じて任意に画像データの色相、彩度を調整することが可能となる。
【００６０】
信号処理部２１は、隣接する第１画素３１Ａと第２画素３１Ｂの２画素に対応する入力画像信号に基づいた当該第１画素３１Ａの副画素３２の出力及び当該第１画素３１Ａに隣接する第２画素３１Ｂの副画素３２の出力の組み合わせが複数ある場合、第１画素３１Ａの輝度分布と第２画素３１Ｂの輝度分布とが近似する第１画素３１Ａの副画素３２の出力及び第２画素３１Ｂの副画素３２の入力画像信号に応じて出力を行ってもよい。例えば、第１画素３１Ａが有する副画素３２の点灯数と第２画素３１Ｂが有する副画素３２の点灯数とを（Ａ：Ｂ）で対比した場合に、入力画像信号の成分を白色成分に優先的に変換したときに（Ａ：Ｂ）＝（ａ：ｂ）が成立し、入力画像信号の成分を白色以外の成分に優先的に変換したときに（Ａ：Ｂ）＝（ｃ：ｄ）が成立したとする。ここで、ａとｂとの差の絶対値とｃとｄとの差の絶対値のうちより小さいほうの結果に応じて出力を行ってもよい。すなわち、各画素の副画素３２の点灯の有無の差がより小さい出力結果の方が、画素における輝度分布が近似することになり、輝度の偏りが生じにくくすることが可能となる。また、信号処理部２１は、各画素で点灯する副画素３２の配置及び点灯する副画素３２の出力の強弱に基づいて、第１画素３１Ａの輝度分布と第２画素３１Ｂの輝度分布とが近似する第１画素３１Ａの副画素３２の出力及び第２画素３１Ｂの副画素３２の入力画像信号に応じて出力を行ってもよい。また、信号処理部２１は、入力画像にエッジ部が存在する場合には、エッジ部を解消するように隣接する画素間で色変換を実施してもよい。ここで、エッジとは、隣り合う画素間での色相、彩度、輝度の少なくとも１つを大きく相違させることで、これら隣接画素間には明らかに色の境界が存在すると認識し得る、ものであって、例えば背景を黒とした場合の白色や他の色による文字や線や図形（あるいはその逆）の境界のことをいう。
【００６１】
（適用例）
次に、図２６を参照して、上記の実施形態等で説明した画像表示装置の適用例について説明する。上記の実施形態等で説明した画像表示装置は、スマートフォンその他のあらゆる分野の電子機器に適用することが可能である。言い換えると、係る画像表示装置は、外部から入力された映像信号あるいは内部で生成した映像信号を、画像あるいは映像として表示するあらゆる分野の電子機器に適用することが可能である。
【００６２】
図２７は、本発明が適用されるスマートフォン７００の外観の一例を示す図である。スマートフォン７００は、例えばその筐体７１０の一面に設けられた表示部７２０を備える。表示部７２０は、本発明の画像表示装置により構成されている。
【００６３】
以上説明したように、本実施の形態によれば、第１画素が有する副画素に対して相対的に輝度が高い副画素を有する第２画素を配置する。すなわち、全ての画素の副画素が共通である場合に比して、第２画素が有する副画素の点灯に要する消費電力を削減することが可能となる。これにより、表示装置は、画素密度を高密度化することなく、消費電力量を抑制できる。また、信号処理部は、隣接する第１画素及び第２画素に対応する入力画像信号の第１成分及び第２成分を隣接する第１画素及び第２画素間で色変換する。これにより、輝度が高い第２画素の副画素を優先して点灯させることが可能となり、より一層の消費電力の低減が可能となると共に、画像の解像度の低下を防ぐことができる。
【００６４】
また、第１画素及び第２画素が白色の副画素を有することで、入力画像信号が入力される画素が第１画素であるか第２画素であるかに関わらず、白色及び輝度の出力について各画素で対応することができる。これにより、画像表示部３０から出力される表示出力（画像）における各画素の明暗に関する解像度を画素３１の粒度で確保することができる。すなわち、解像感を確保することができる。また、入力画像信号の成分のうち白色に変換可能な成分がある場合に白色の副画素を点灯させることで、各画素の輝度を白色の副画素の点灯により確保することができる。すなわち、輝度を確保する観点において他の色の副画素の出力をより抑えることができることから、より高いレベルの省電力性を実現することができる。
【００６５】
また、第１画素における白色の副画素の配置と第２画素における白色の副画素の配置とが同一の配置であることで、白色の副画素により得られる画像の解像感をより規則的な白色の副画素の配置により得ることができる。このため、より見栄えのよい表示出力が得られる。
【００６６】
また、隣接する第１画素と第２画素の２画素に対応する入力画像信号に基づいた当該第１画素の副画素の出力及び当該第１画素に隣接する第２画素の副画素の出力の組み合わせが複数ある場合、第１画素の輝度分布と第２画素の輝度分布とが近似する第１画素の副画素の出力及び第２画素の副画素の出力を行うことで、各画素の輝度分布のバランスを取ることができる。このため、より見栄えのよい表示出力が得られる。
【００６７】
また、第１画素が有する副画素の数と第２画素が有する副画素の数が同一であり、第１画素における副画素の配置と第２画素における副画素の配置とが、第１画素が有する副画素の色相と第２画素が有する副画素の色相とを対比した場合に、各画素における色相の配置が近似する配置であることで、副画素の各々の色により構成される表示領域における色の起伏をより平坦にすることができる。
【００６８】
また、第１画素が有する副画素の数と第２画素が有する副画素の数が同一であり、第１画素における副画素の配置と第２画素における副画素の配置が、各画素における副画素同士の輝度の高低関係が同一であることで、副画素の各々の色により構成される表示領域における輝度の起伏をより平坦にすることができる。
【００６９】
また、表示領域が直線状の辺を有し、少なくとも一辺に隣接する画素が第１画素であることで、当該辺に隣接する第２画素と協働で色再現を行う第１画素をより確実に確保することができる。
【００７０】
また、第２画素が千鳥状に配置されていることで、第２画素に隣接する第１画素の数をより増やすことができる。このため、第２画素と協働で色再現を行う第１画素をより確実に確保することができる。
【００７１】
なお、本開示においては、開示例として有機ＥＬ表示装置の場合を例示したが、その他の適用例として、その他の自発光型表示装置、液晶表示装置、あるいは電気泳動素子等を有する電子ペーパー型表示装置等、あらゆるフラットパネル型の画像表示装置が挙げられる。また、中小型から大型まで、特に限定することなく適用が可能であることは言うまでもない。
【００７２】
本開示は、下記に示す構成に関する。
【００７３】
（１）第１の色域に含まれる３色以上の副画素を有する第１画素と、前記第１画素の副画素より輝度が高く第１の色域内の第２の色域に属する３色以上の副画素を有する第２画素と、前記第１画素及び前記第２画素がマトリクス状に表示領域内に設けられ、前記第１画素と前記第２画素とが隣接する画像表示部と、を備える、画像表示装置。
【００７４】
（２）前記第１画素及び前記第２画素は白色の副画素を有する、（１）に記載の画像表示装置。
【００７５】
（３）前記第１画素における前記白色の副画素の配置と前記第２画素における前記白色の副画素の配置とは同一の配置である、（２）に記載の画像表示装置。
【００７６】
（４）前記第１画素が有する副画素の色のうち３色は、赤、緑、青に対応し、前記表示領域は直線状の辺を有し、少なくとも一辺に隣接する画素は前記第１画素である、（１）に記載の画像表示装置。
【００７７】
（５）前記第２画素は、千鳥状に配置されている、（４）に記載の画像表示装置。
【００７８】
（６）第１の色域に含まれる３色以上の副画素を有する第１画素と、前記第１画素の副画素より輝度が高く、前記第１の色域内の第２の色域に含まれる３色以上の副画素を有する第２画素と、前記第１画素及び前記第２画素がマトリクス状に設けられ、前記第１画素と前記第２画素とが隣接する画像表示部と、入力画像信号に応じて前記画像表示部の各画素が有する副画素の出力を決定する信号処理部と、を備える、画像表示装置。
【００７９】
（７）前記信号処理部は、前記第２画素に対応する入力画像信号の成分である第２成分が前記第２の色域の色域内成分である場合には、前記第１画素に対応する前記入力画像信号の成分である第１成分に基づいて前記第１画素が有する副画素の出力を決定すると共に、前記第２画素に対応する入力画像信号の成分である第２成分に基づいて前記第２画素が有する副画素の出力を決定する、（６）に記載の画像表示装置。
【００８０】
（８）前記信号処理部は、隣接する前記第１画素及び前記第２画素間において、当該第１画素の前記入力画像信号の成分である第１成分と、当該第２画素に対応する入力画像信号の成分である第２成分とを色変換し、当該第１画素が有する副画素の出力と、当該第２画素が有する副画素の出力とを決定する、（６）又は（７）に記載の画像表示装置。
【００８１】
（９）前記信号処理部は、前記第２画素に対応する入力画像信号の成分である第２成分が前記第２の色域の色域外成分を含む場合には、前記第１画素に対応する前記入力画像信号の成分である第１成分及び前記第２画素に対応する入力画像信号の成分である第２成分を、隣接する前記第１画素及び前記第２画素間で色変換し、色変換した第２成分に基づいて前記第２画素が有する副画素の出力を決定する、（６）又は（７）に記載の画像表示装置。
【００８２】
（１０）前記第１画素及び前記第２画素は、白色の副画素を有し、前記信号処理部は、入力画像信号の成分のうち白色に変換可能な成分がある場合は、前記白色の副画素を点灯させるように、前記第１画素及び前記第２画素の出力を決定する、（６）から（９）のいずれか１つに記載の画像表示装置。
【００８３】
（１１）前記第１画素における前記白色の副画素の配置と、前記第２画素における前記白色の副画素の配置とは同一の配置である、（１０）に記載の画像表示装置。
【００８４】
（１２）前記信号処理部は、隣接する前記第１画素及び前記第２画素の２画素に対応する入力画像信号に基づいた当該第１画素の副画素の出力及び当該第１画素に隣接する前記第２画素の副画素の出力の組み合わせが複数ある場合、前記第１画素の輝度分布と前記第２画素の輝度分布とが近似する前記第１画素の副画素の出力及び前記第２画素の副画素の出力を行う、（６）から（８）のいずれか１つに記載の画像表示装置。
【００８５】
（１３）前記第１画素が有する副画素の数と前記第２画素が有する副画素の数とが同一であり、前記第１画素における副画素の配置と前記第２画素における副画素の配置とは、第１画素が有する副画素の色相と第２画素が有する副画素の色相とを対比した場合に、各画素における色相の回転方向が同一の配置である、
（６）から（８）のいずれか１つに記載の画像表示装置。
【符号の説明】
【００８６】
１００  画像表示装置
２０    画像処理回路
２１    信号処理部
３０    画像表示部
３１    画素
３１Ａ  第１画素
３１Ｂ  第２画素
３２    副画素
３２Ｒ，３２Ｒ１  第１副画素
３２Ｇ，３２Ｇ１  第２副画素
３２Ｂ，３２Ｂ１  第３副画素
３２Ｗ１  第４副画素
３２Ｒ２  第５副画素
３２Ｇ２  第６副画素
３２Ｂ２  第７副画素
３２Ｗ２  第８副画素
Ａ    表示領域
Ａ１，Ａ２  辺隣接領域
【図１】
0006514495.tif 000002
【図２】
0006514495.tif 000003
【図３】
0006514495.tif 000004
【図４】
0006514495.tif 000005
【図５】
0006514495.tif 000006
【図６】
0006514495.tif 000007
【図７】
0006514495.tif 000008
【図８】
0006514495.tif 000009
【図９】
0006514495.tif 000010
【図１０】
0006514495.tif 000011
【図１１】
0006514495.tif 000012
【図１２】
0006514495.tif 000013
【図１３】
0006514495.tif 000014
【図１４】
0006514495.tif 000015
【図１５】
0006514495.tif 000016
【図１６】
0006514495.tif 000017
【図１７】
0006514495.tif 000018
【図１８】
0006514495.tif 000019
【図１９】
0006514495.tif 000020
【図２０】
0006514495.tif 000021
【図２１】
0006514495.tif 000022
【図２２】
0006514495.tif 000023
【図２３Ａ】
0006514495.tif 000024
【図２３Ｂ】
0006514495.tif 000025
【図２４Ａ】
0006514495.tif 000026
【図２４Ｂ】
0006514495.tif 000027
【図２４Ｃ】
0006514495.tif 000028
【図２５Ａ】
0006514495.tif 000029
【図２５Ｂ】
0006514495.tif 000030
【図２５Ｃ】
0006514495.tif 000031
【図２５Ｄ】
0006514495.tif 000032
【図２６Ａ】
0006514495.tif 000033
【図２６Ｂ】
0006514495.tif 000034
【図２６Ｃ】
0006514495.tif 000035
【図２７】
0006514495.tif 000036